(57)【要約】  第１及び第２コネクタを対向させて互いに嵌合して構成されるコネクタセットであって、第１コネクタは、長手方向に沿って端子が配列された第１内部端子と、第１内部端子を支持する第１絶縁性部材と、第１内部端子の長手方向の両端に設けられた第１外部端子と、を有し、第２コネクタは、長手方向に沿って端子が配列され、第１内部端子と係合する第２内部端子と、第２内部端子を支持する第２絶縁性部材と、第２内部端子の長手方向の両端に設けられた第２外部端子と、を有し、第１コネクタは、嵌合方向に第１内部端子より第２コネクタに向かって突出する突出部を有し、第２コネクタは、第１コネクタの突出部を収容する凹部と、凹部の周囲にガイド部と、を有する。
2019021611.tif 000002
【特許請求の範囲】
【請求項１】
第１コネクタと第２コネクタとを対向させて互いに嵌合して構成されるコネクタセットであって、
前記第１コネクタは、
長手方向に沿って端子が配列された第１内部端子と、
前記第１内部端子を支持する第１絶縁性部材と、
前記第１内部端子の前記長手方向の両端に設けられた第１外部端子と、
を有し、
前記第２コネクタは、
長手方向に沿って端子が配列され、前記第１コネクタの前記第１内部端子と係合する第２内部端子と、
前記第２内部端子を支持する第２絶縁性部材と、
前記第２内部端子の前記長手方向の両端に設けられた第２外部端子と、
を有し、
前記第１コネクタは、前記第２コネクタとの嵌合方向において、前記第１内部端子よりも前記第２コネクタに向かって突出する突出部を有し、
前記第２コネクタは、前記第１コネクタの前記突出部を収容する凹部と、前記凹部の周囲にガイド部と、を有する、コネクタセット。
【請求項２】
前記ガイド部は、前記第１コネクタとの嵌合方向において前記第２内部端子よりも第１コネクタ側に突出する、請求項１に記載のコネクタセット。
【請求項３】
前記第１コネクタの前記突出部は、前記第１外部端子の一部としてそれぞれ設けられている、請求項１または２に記載のコネクタセット。
【請求項４】
前記第１コネクタの前記突出部は、金属で構成されている、請求項１から３のいずれか一項に記載のコネクタセット。
【請求項５】
前記第２コネクタの前記ガイド部は、前記凹部の周囲に前記凹部に向かって傾斜する傾斜面を有する、請求項１から４のいずれか一項に記載のコネクタセット。
【請求項６】
前記第１コネクタと前記第２コネクタとの嵌合方向について、前記第１コネクタの前記突出部と前記第１内部端子との高低差は、前記第２コネクタの前記第２内部端子と前記ガイド部の前記傾斜面の下端部との高低差と同じか、それよりも大きい、請求項５に記載のコネクタセット。
【請求項７】
前記第２コネクタの前記凹部は、前記第２コネクタを貫通する貫通孔である、請求項１から６のいずれか一項に記載のコネクタセット。
【請求項８】
前記第２コネクタの前記ガイド部は、前記第２外部端子の一部として設けられている、請求項１から７のいずれか一項に記載のコネクタセット。
【請求項９】
前記第２コネクタの前記ガイド部は、金属で構成されている、請求項１から８のいずれか一項に記載のコネクタセット。
【請求項１０】
前記第１コネクタは、金属からなる被ガイド部を有し、前記被ガイド部は、前記第１コネクタと前記第２コネクタとの嵌合面に垂直な３面と、前記３面の間を連続して接続する凸面とで構成されている、請求項１から９のいずれか一項に記載のコネクタセット。
【請求項１１】
前記第１コネクタの前記被ガイド部は、前記第１外部端子の一部として設けられている、請求項１０に記載のコネクタセット。
【発明の詳細な説明】
【技術分野】
【０００１】
本発明は、第１内部端子を有する第１コネクタと第１内部端子と係合する第２内部端子を有する第２コネクタとを互いに嵌合させて構成されたコネクタセットに関する。
【背景技術】
【０００２】
オス型内部端子を有する第１コネクタと、メス型内部端子を有する第２コネクタとを嵌合する際、第１コネクタと第２コネクタとの位置決めの精度にバラツキがあり、正確に嵌合することが困難である。そのため、第１コネクタのオス型内部端子を正確な位置へ導くガイド部を、メス型内部端子を有する第２コネクタに設け、正確な位置に誘い込むことが知られている（例えば、特許文献１参照。）。
【先行技術文献】
【特許文献】
【０００３】
【特許文献１】特開２０１６−８５９９４号公報
【特許文献２】特号公報
【発明の概要】
【発明が解決しようとする課題】
【０００４】
しかしながら、従来技術では、オス型内部端子を有する第１コネクタにおいて、メス型内部端子を有する第２コネクタのガイド部と対応する第２補強金具の厚さ方向(嵌合方向)における高さが、オス型内部端子の高さよりも低い。そのため、ガイド部による正確な位置への誘い込みがなされる前、つまり、誘い込みが不十分な状態で、まだ不正確な位置でオス型内部端子がメス型内部端子と接触してしまうおそれがある。そのため、いずれかの内部端子が変形し、最悪の場合には嵌合できなくなるおそれがある。【０００５】
そこで、本発明の目的は、第１及び第２コネクタの嵌合時にそれぞれの内部端子が不正確な位置で接触することを抑制し、嵌合不能を抑制できるコネクタセットを提供することである。
【課題を解決するための手段】
【０００６】
本発明に係るコネクタセットは、第１コネクタと第２コネクタとを対向させて互いに嵌合して構成されるコネクタセットであって、
前記第１コネクタは、
長手方向に沿って端子が配列された第１内部端子と、
前記第１内部端子を支持する第１絶縁性部材と、
前記第１内部端子の前記長手方向の両端に設けられた第１外部端子と、
を有し、
前記第２コネクタは、
長手方向に沿って端子が配列され、前記第１コネクタの前記第１内部端子と係合する第２内部端子と、
前記第２内部端子を支持する第２絶縁性部材と、
前記第２内部端子の前記長手方向の両端に設けられた第２外部端子と
を有し、
前記第１コネクタは、前記第２コネクタとの嵌合方向において、前記第１内部端子よりも前記第２コネクタに向かって突出する突出部を有し、
前記第２コネクタは、前記第１コネクタの前記突出部を収容する凹部と、前記凹部の周囲にガイド部と、を有する。
【発明の効果】
【０００７】
本発明に係るコネクタセットによれば、第１コネクタでは、第１外部端子が第１内部端子よりも高い。また、第２コネクタでは、ガイド部が第２内部端子よりも高い。そこで、第１コネクタと第２コネクタとの嵌合時に、第１及び第２内部端子同士の接触よりも、第１コネクタの第１外部端子と第２コネクタのガイド部とが先に接触する。そこで、第１コネクタを正確な位置に誘い込みやすくなり、第１内部端子及び第２内部端子の変形の発生、及び、嵌合不能となることを抑制できる。
【図面の簡単な説明】
【０００８】
【図１】実施の形態１に係るコネクタセットの構成を示す概略斜視図である。
【図２】図１のコネクタセットを構成する第１コネクタの概略斜視図である。
【図３】図１のコネクタセットを構成する第２コネクタの概略斜視図である。
【図４Ａ】第１コネクタの構成を示す概略斜視図である。
【図４Ｂ】図４Ａの第１コネクタを分解した分解斜視図である。
【図４Ｃ】図４ＡのＡ−Ａ線に沿った断面構造を示す概略断面図である。
【図５Ａ】第２コネクタの構成を示す概略斜視図である。
【図５Ｂ】図５Ａの第２コネクタを分解した分解斜視図である。
【図５Ｃ】図５ＡのＢ−Ｂ線に沿った断面構造を示す概略断面図である。
【図６Ａ】図２の第１コネクタと図３の第２コネクタとを対向させて嵌合させる直前の状態を示す、内部端子側から外部端子を見た概略断面図である。
【図６Ｂ】図２の第１コネクタと図３の第２コネクタとが接触し始めている状態を示す、内部端子側から外部端子を見た概略断面図である。
【図６Ｃ】図２の第１コネクタと図３の第２コネクタとの嵌合が完了して、コネクタセットを構成した状態を示す、内部端子側から外部端子を見た概略断面図である。
【図７Ａ】実施の形態２に係るコネクタセットを構成する第１コネクタの構成を示す概略斜視図である。
【図７Ｂ】図７Ａの両端の第１外部端子のうちの一方の第１外部端子を示す部分拡大図である。
【図８Ａ】実施の形態３に係るコネクタセットを構成する第２コネクタの構成を示す概略斜視図である。
【図８Ｂ】図８Ａの両端の第２外部端子の内の一方の第２外部端子を示す部分拡大図である。
【発明を実施するための形態】
【０００９】
第１の態様に係るコネクタセットは、第１コネクタと第２コネクタとを対向させて互いに嵌合して構成されるコネクタセットであって、
前記第１コネクタは、
長手方向に沿って端子が配列された第１内部端子と、
前記第１内部端子を支持する第１絶縁性部材と、
前記第１内部端子の前記長手方向の両端に設けられた第１外部端子と、
を有し、
前記第２コネクタは、
長手方向に沿って端子が配列され、前記第１コネクタの前記第１内部端子と係合する第２内部端子と、
前記第２内部端子を支持する第２絶縁性部材と、
前記第２内部端子の前記長手方向の両端に設けられた第２外部端子と、
を有し、
前記第１コネクタは、前記第２コネクタとの嵌合方向において、前記第１内部端子よりも前記第２コネクタに向かって突出する突出部を有し、
前記第２コネクタは、前記第１コネクタの前記突出部を収容する凹部と、前記凹部の周囲にガイド部と、を有する。
【００１０】
上記構成によって、第１コネクタでは、第１外部端子が第１内部端子よりも高い突出部を有する。また、第２コネクタでは、ガイド部が第２内部端子よりも高い。そこで、第１コネクタと第２コネクタとの嵌合時に、第１及び第２内部端子同士の接触よりも、第１コネクタの突出部と第２コネクタのガイド部とが先に接触する。そこで、第１コネクタを正確な位置に誘い込みやすくなり、第１内部端子及び第２内部端子の変形の発生、及び、嵌合不能となることを抑制できる。
【００１１】
第２の態様に係るコネクタセットは、上記第１の態様において、前記ガイド部は、前記第１コネクタとの嵌合方向において前記第２内部端子よりも第１コネクタ側に突出していてもよい。
【００１２】
第３の態様に係るコネクタセットは、上記第１又は第２の態様において、前記第１コネクタの前記突出部は、前記第１外部端子の一部としてそれぞれ設けられていてもよい。
【００１３】
第４の態様に係るコネクタセットは、上記第１から第３のいずれかの態様において、前記第１コネクタの前記突出部は、金属で構成されていてもよい。
【００１４】
上記構成によって、第１コネクタの突出部の耐摩耗性を向上させることができる。
【００１５】
第５の態様に係るコネクタセットは、上記第１から第４のいずれかの態様において、前記第２コネクタの前記ガイド部は、前記凹部の周囲に前記凹部に向かって傾斜する傾斜面を有してもよい。
【００１６】
第６の態様に係るコネクタセットは、上記第５の態様において、前記第１コネクタと前記第２コネクタとの嵌合方向について、前記第１コネクタの前記突出部と前記第１内部端子との高低差は、前記第２コネクタの前記第２内部端子と前記ガイド部の前記傾斜面の下端部との高低差と同じか、それよりも大きくてもよい。
【００１７】
第７の態様に係るコネクタセットは、上記第１から第６のいずれかの態様において、前記第２コネクタの前記凹部は、前記第２コネクタを貫通する貫通孔であってもよい。
【００１８】
上記構成によって、第１コネクタの突出部の高さを第２コネクタの貫通穴の高さと略等しくできる。このように突出部の高さを限界まで高くすることで、第１コネクタのガイド性をさらに向上させることができる。さらに、貫通穴を設けることで、嵌合時の製品高さが厚くなることを抑制できる。
【００１９】
第８の態様に係るコネクタセットは、上記第１から第７のいずれかの態様において、前記第２コネクタの前記ガイド部は、前記第２外部端子の一部として設けられていてもよい。
【００２０】
第９の態様に係るコネクタセットは、上記第１から第８のいずれかの態様において、前記第２コネクタの前記ガイド部は、金属で構成されていてもよい。
【００２１】
上記構成によって、第２コネクタのガイド部の耐摩耗性を向上させることができる。
【００２２】
第１０の態様に係るコネクタセットは、上記第１から第９のいずれかの態様において、前記第１コネクタは、金属からなる被ガイド部を有し、前記被ガイド部は、前記第１コネクタと前記第２コネクタとの嵌合面に垂直な３面と、前記３面の間を連続して接続する凸面とで構成されていてもよい。
【００２３】
上記構成によれば、被ガイド部は金属からなるので耐摩耗性が向上する。また、被ガイド部は、前記第１コネクタと前記第２コネクタとの嵌合面に垂直な３面と、３面の間を連続して接続する凸面とで構成されているので、ガイド可能な位置ずれの許容範囲が大きい。
【００２４】
第１１の態様に係るコネクタセットは、上記第１０の態様において、前記第１コネクタの前記被ガイド部は、前記第１外部端子の一部として設けられていてもよい。
【００２５】
以下、実施の形態に係るコネクタセットについて、添付図面を参照しながら説明する。
なお、図面において実質的に同一の部材については同一の符号を付している。
【００２６】
（実施の形態１）
＜コネクタセット＞
図１は、実施の形態１に係るコネクタセット３０の構成を示す概略斜視図である。図２は、図１のコネクタセット３０を構成する第１コネクタ１０の概略斜視図である。図３は、図１のコネクタセット３０を構成する第２コネクタ２０の概略斜視図である。なお、各図には、便宜上、互いに直交するｘ軸、ｙ軸、ｚ軸を示している。
実施の形態１に係るコネクタセット３０は、第１コネクタ１０と第２コネクタ２０とを対向させて互いに嵌合して構成されるコネクタセットである。第１コネクタ１０は、第１内部端子１１と、第１絶縁性部材１２と、２つの第１外部端子１３ａ、１３ｂと、を有する。第１内部端子１１は、長手方向（ｘ軸方向）に沿って１つ又は複数の凸型端子が配列されている。第１絶縁性部材１２によって第１内部端子１１を支持する。２つの第１外部端子１３ａ、１３ｂは、第１内部端子１１の長手方向（ｘ軸方向）の両端にそれぞれ離間して設けられている。第２コネクタ２０は、第２内部端子２１と、第２絶縁性部材２２と、２つの第２外部端子２３ａ、２３ｂと、を有する。第２内部端子２１は、長手方向（ｘ軸方向）に沿って１つ又は複数の凹型端子が配列され、第１コネクタ１０の第１内部端子１１と係合する。第２絶縁性部材２２によって第２内部端子２１を支持する。第２外部端子２３ａ、２３ｂは、第２内部端子２１の長手方向（ｘ軸方向）の両端にそれぞれ離間して設けられている。
【００２７】
第１コネクタ１０は、第２コネクタ２０との嵌合面（ｘ−ｙ平面）に垂直な方向（ｚ軸方向：嵌合方向）において、第１内部端子１１よりも第２コネクタ２０に向かって突出する突出部（第１外部端子１３ａ、１３ｂ）を有する。また、第２コネクタ２０は、第１コネクタ１０の突出部を収容する凹部２４ａ、２４ｂと、凹部２４ａ、２４ｂの周囲に、第１コネクタ１０との嵌合面に垂直な方向（ｚ軸方向）において第２内部端子２１よりも第１コネクタ１０側に突出するガイド部２５ａ、２５ｂと、を有する。
上記構成によって、第１コネクタ１０と第２コネクタ２０との嵌合時に、第１内部端子１１よりも高い第１外部端子１３ａ、１３ｂと、第２内部端子２１よりも高いガイド部２５ａ、２５ｂとが、第１及び第２内部端子１１、２１同士の接触よりも先に接触する。そこで、第１コネクタ１０を正確な位置に誘い込みやすくなる。つまり、嵌合時のガイド性がよくなり、スムーズな嵌合ができる。その結果、第１内部端子１１及び第２内部端子２１の変形の発生、及び、嵌合不能を抑制できる。
【００２８】
以下に、このコネクタセットを構成する各部材について説明する。
【００２９】
＜第１コネクタ＞
図４Ａは、第１コネクタ１０の構成を示す概略斜視図である。図４Ｂは、図４Ａの第１コネクタ１０を分解した分解斜視図である。図４Ｃは、図４ＡのＡ−Ａ線に沿った断面構造を示す概略断面図である。各図には、便宜上、互いに直交するｘ軸、ｙ軸、ｚ軸を示している。
第１コネクタ１０は、第１内部端子１１と、第１絶縁性部材１２と、２つの第１外部端子１３ａ、１３ｂと、を有する。
また、第１コネクタ１０は、第２コネクタ２０との嵌合面に垂直な方向（嵌合方向）において、第１内部端子１１よりも第２コネクタ２０に向かって突出する突出部を有する。
【００３０】
＜第１内部端子＞
第１内部端子１１は、長手方向に沿って１つ又は複数の凸型端子が配列されている。そのため、第１内部端子１１は、通常、オス型内部端子とも呼ばれる。この第１内部端子１１は、例えば、信号電位又は接地電位に接続される導体であり、導電性を有する棒状の部材を折り曲げて構成されている。また、第１内部端子１１は、例えば、第１絶縁性部材１２の溝に嵌められて支持される。第１内部端子１１としては、例えばリン青銅を用いることができる。リン青銅は、導電性を有すると共に、弾性変形可能な材料である。
また、図４Ａに示すように、第１内部端子１１は、長手方向に沿って１列に１０個の凸型端子が延在する２列の凸型端子列を有する。なお、２列に限られず、３列以上を設けてもよい。また、第１内部端子１１の列間における電磁波の干渉を抑制するため、第１内部端子１１の列間に導電性のシールド部材（図示せず）を設けてもよい。シールド部材は、例えば、第１絶縁性部材１２の中央溝に嵌められて支持されてもよい。また、シールド部材は、第１内部端子１１の列間の長手方向にわたって延在してもよい。
なお、ここでは第１内部端子１１には、１つ又は複数の凸型端子が配列されているが、これに限られず、１つ又は複数の凹型端子が配列されていてもよい。この場合には、第１内部端子１１と係合する第２内部端子２１には、１つ又は複数の凹型端子に代えて、１つ又は複数の凸型端子が配列される。
【００３１】
＜第１外部端子＞
第１外部端子１３ａ、１３ｂは、第１内部端子１１の長手方向の両端にそれぞれ離間して設けられている。なお、図４Ａ及び図４Ｂに示すように、２つの第１外部端子１３ａ、１３ｂは互いに分離しているが、これに限られず、互いに接続されていてもよい。この場合には、第１外部端子１３ａ、１３ｂは連続した部材となっていてもよい。
第１外部端子１３ａ、１３ｂは、例えば、接地電位に接続される導体である。第１外部端子１３ａ、１３ｂは、接地電位に接続されてアース電位を保つことで、第１コネクタ１０の外部からの電波を遮蔽して、第１コネクタ１０内を電気的遮蔽空間とすることができる。つまり、第１外部端子１３ａ、１３ｂは、特に、第１内部端子１１が第１コネクタ１０の外部からの電波の干渉を受けないようにするための部材としても有用である。第１外部端子１３ａ、１３ｂとしては、例えばリン青銅を用いることができる。リン青銅は、導電性を有すると共に、弾性変形可能な材料である。なお、表面には、例えば、金メッキ等を行ってもよい。第１外部端子１３ａ、１３ｂは、例えば、曲げ加工で形成される。
【００３２】
＜第１絶縁性部材＞
第１絶縁性部材１２は、第１内部端子１１を支持すると共に、第１外部端子１３ａ、１３ｂを一体的に支持する。第１絶縁性部材１２としては、例えば、液晶ポリマー等の樹脂を用いてもよい。また、第１絶縁性部材１２として樹脂ケースを構成してもよい。さらに、全体を一体化するために、例えば、第１内部端子１１と、第１外部端子１３ａ、１３ｂと、を樹脂からなる第１絶縁性部材１２によってインサートモールド成型によって第１コネクタ１０を構成してもよい。
【００３３】
＜突出部＞
図４Ｃの断面図に示すように、この第１外部端子１３ａ、１３ｂは、第２コネクタ２０との嵌合面に垂直な方向について、第１内部端子１１よりも第２コネクタ２０に向かって突出量ｄ１で突出する突出部である。つまり、突出部は、第１外部端子１３ａ、１３ｂの一部として設けられている。第１外部端子１３ａ、１３ｂは、ガイド性を向上させるために厚み方向（ｚ軸方向）に高く形成されている。
なお、突出部は、上記第１外部端子一部として設けられる場合に限られず、第１外部端子とは別部材で設けてもよい。また、金属に限られず、樹脂であってもよい。
【００３４】
＜第２コネクタ＞
図５Ａは、第２コネクタ２０の構成を示す概略斜視図である。図５Ｂは、図５Ａの第２コネクタ２０を分解した分解斜視図である。図５Ｃは、図５ＡのＢ−Ｂ線に沿った断面構造を示す概略断面図である。各図には、便宜上、互いに直交するｘ軸、ｙ軸、ｚ軸を示している。
第２コネクタ２０は、第２内部端子２１と、第２絶縁性部材２２と、第２外部端子２３ａ、２３ｂと、を有する。第２コネクタ２０は、第１コネクタ１０を外側から取り囲んでおり、第１コネクタ１０よりもサイズが大きい。
また、第２コネクタは、第１コネクタ１０の突出部を収容する凹部２４ａ、２４ｂと、凹部２４ａ、２４ｂの周囲に、第１コネクタ１０との嵌合面に垂直な方向において第２内部端子２１よりも第１コネクタ１０側に突出するガイド部２５ａ、２５ｂと、を有する。
【００３５】
＜第２内部端子＞
第２内部端子２１は、長手方向に沿って１つ又は複数の凹型端子が配列されている。そのため、第２内部端子２１は、通常、メス型内部端子とも呼ばれる。この第２内部端子は、第１コネクタ１０の第１内部端子１１と係合する。また、この第２内部端子２１は、例えば、信号電位又は接地電位に接続される導体であり、導電性を有する棒状の部材を折り曲げて構成されている。また、第２内部端子２１は、例えば、第２絶縁性部材２２の溝に嵌められて支持される。第２内部端子２１としては、例えばリン青銅を用いることができる。リン青銅は、導電性を有すると共に、弾性変形可能な材料である。
また、図５Ａに示すように、第２内部端子２１は、長手方向に沿って１列に１０個の凹型端子が延在する２列の凹型端子列を有する。なお、２列に限られず、３列以上を設けてもよい。各凹型端子は第１内部端子１１の各凸型端子と一対一対応で接触し、係合する。係合時には、凹型端子の内側の端部が開いて凸型端子と係合する。また、第２内部端子２１の列間における電磁波の干渉を抑制するため、第２内部端子２１の列間に導電性のシールド部材（図示せず）を設けてもよい。シールド部材は、例えば、第２絶縁性部材２２の中央溝に嵌められて支持されてもよい。また、シールド部材は、第２内部端子２１の列間の長手方向にわたって延在してもよい。
なお、ここでは第２内部端子２１には、１つ又は複数の凹型端子が配列されているが、これに限られず、１つ又は複数の凸型端子が配列されていてもよい。この場合には、第２内部端子２１と係合する第１内部端子１１には、１つ又は複数の凸型端子に代えて、１つ又は複数の凹型端子が配列される。
【００３６】
第２外部端子２３ａ、２３ｂは、第２内部端子２１の長手方向（ｘ軸方向）の両端にそれぞれ離間して設けられている。なお、図５Ａ及び図５Ｂに示すように、第２外部端子２３ａ、２３ｂは、第２コネクタ２０を囲むように環状に設けられているが、これに限られず、例えば、両端の２つの部分に分離されていてもよい。
【００３７】
第２外部端子２３ａ、２３ｂは、例えば、接地電位に接続される導体である。第２外部端子２３ａ、２３ｂは、接地電位に接続されてアース電位を保つことで、第２コネクタ２０の外部からの電波を遮蔽して、第２コネクタ２０内を電気的遮蔽空間とすることができる。つまり、第２外部端子２３ａ、２３ｂは、特に、第２内部端子２１が第２コネクタ２０の外部からの電波の干渉を受けないようにするための部材としても有用である。第２外部端子２３ａ、２３ｂとしては、例えばリン青銅を用いることができる。リン青銅は、導電性を有すると共に、弾性変形可能な材料である。第２外部端子２３ａ、２３ｂは、例えば、曲げ加工で形成される。
【００３８】
＜第２絶縁性部材＞
第２絶縁性部材２２は、第２内部端子２１を支持すると共に、第２外部端子２３ａ、２３ｂを一体的に支持する。第２絶縁性部材２２としては、例えば樹脂を用いてもよい。第２内部端子２１は第２絶縁性部材２２に圧入で埋め込まれてもよい。あるいは、全体を一体化するために、例えば、第２内部端子２１と、第２外部端子２３ａ、２３ｂと、を樹脂からなる第２絶縁性部材２２によってインサートモールド成型によって第２コネクタ２０を構成してもよい。
【００３９】
＜凹部＞
凹部２４ａ、２４ｂは、第１コネクタ１０の突出部である第１外部端子１３ａ、１３ｂを収容する。なお、凹部２４ａ、２４ｂは、樹脂底を有する穴であっても、あるいは、樹脂底を有しない貫通穴であってもよい。凹部２４ａ、２４ｂを貫通孔とすることで、第１コネクタ１０の突出部である第１外部端子１３ａ、１３ｂの高さを第２コネクタ２０の貫通穴の高さと略等しくできる。このように突出部の高さを限界まで高くすることで、第１コネクタ１０のガイド性をさらに向上させることができる。さらに、貫通穴を設けることで、第１コネクタ１０の突出部である第１外部端子１３ａ、１３ｂの高さを吸収できるので、嵌合時の製品（コネクタセット）の高さが不必要に厚くなることを抑制できる。
【００４０】
＜ガイド部（誘い込み部）＞
ガイド部２５ａ、２５ｂは、凹部２４ａ、２４ｂの周囲に、第１コネクタ１０との嵌合面に垂直な方向において第２内部端子２１よりも第１コネクタ１０側に突出する。つまり、ガイド部２５ａ、２５ｂは、第１コネクタ１０のガイド性を向上させるために厚み方向（ｚ軸方向）に高く形成されている。
また、図５Ａに示すように、このコネクタセット３０を構成する第２コネクタ２０では、ガイド部２５ａ、２５ｂは、長手方向（ｘ軸方向）の両端の３辺（短辺（ｙ軸）、短辺の両側の長辺の一部）について金属からなる第２外部端子２３ａ、２３ｂによって不連続に設けられている。これに限られず、後述の実施の形態３に記載のように、ガイド部２５ａ、２５ｂは、長手方向（ｘ軸方向）の両端の３辺にわたって連続して設けられていてもよい。さらに、ガイド部２５ａ、２５ｂは、金属に限られず、樹脂からなる部分で構成されていてもよい。あるいは、金属からなる部分と、樹脂からなる部分とを含んでもよい。
【００４１】
＜第１コネクタと第２コネクタとの嵌合＞
図６Ａは、図２の第１コネクタ１０と図３の第２コネクタ２０とを対向させて嵌合させる直前の状態を示す、第１内部端子１１及び第２内部端子２１側から第１外部端子１３ａ及び第２外部端子２３ａを見た概略断面図である。図６Ｂは、図２の第１コネクタ１０と図３の第２コネクタ２０とが接触し始めている状態を示す、第１内部端子１１及び第２内部端子２１側から第１外部端子１３ａ及び第２外部端子２３ａを見た概略断面図である。図６Ｃは、図２の第１コネクタ１０と図３の第２コネクタ２０との嵌合が完了して、コネクタセット３０を構成した状態を示す、第１内部端子１１及び第２内部端子２１側から第１外部端子１３ａ及び第２外部端子２３ａを見た概略断面図である。各図には、便宜上、互いに直交するｘ軸、ｙ軸、ｚ軸を示している。なお、第１コネクタ１０と第２コネクタ２０との嵌合時には、それぞれのｚ軸を互いに対向させて嵌合させる。そのため、嵌合時には、第１コネクタ１０のｙ軸、ｚ軸と、第２コネクタ２０のｙ軸、ｚ軸とは互いに反対方向として示している。
【００４２】
以下に、図６Ａから図６Ｃを用いて第１コネクタ１０と第２コネクタ２０との嵌合時の状態を説明する。
（１）第１コネクタ１０のｚ軸と第２コネクタ２０のｚ軸とを互いに対向させて配置する（図６Ａ）。図６Ａに示すように、第１コネクタ１０の第１外部端子１３ａは、第２コネクタ２０との嵌合面（ｘ−ｙ平面）に垂直な方向（ｚ軸方向：嵌合方向）において、第１内部端子１１よりも第２コネクタ２０に向かって突出量ｄ１だけ突出している。また、第２コネクタ２０の第２外部端子２３ａは、第１コネクタ１０との嵌合面（ｘ−ｙ平面）に垂直な方向（ｚ軸方向）において、第２内部端子２１よりも第１コネクタ１０に向かって突出量ｄ２だけ突出している。第１外部端子１３ａの突出量ｄ１と、第２外部端子２３ａの突出量ｄ２とは、実質的に同程度であることが好ましい。また、第２コネクタ２０のガイド部２５ａの傾斜面２６ａの下端部２７は、第２内部端子２１よりもｚ軸方向で高低差ｄ３低い。
【００４３】
（２）次いで、第１コネクタ１０の第１外部端子１３ａが第２コネクタ２０の第２外部端子２３ａの一部であるガイド部２５ａの傾斜面２６ａに沿って下端部２７までガイドされる（図６Ｂ）。つまり、嵌合時には、ガイド部２５ａ、２５ｂと被ガイド部である第１外部端子１３ａ、１３ｂとが接触して位置決めされ、その後、第１内部端子１１と第２内部端子２１とが係合される。図６Ｂに示すように、第１コネクタ１０の第１外部端子１３ａは、第２コネクタ２０のガイド部２５ａの傾斜面２６ａに沿って下端部２７までガイドされる。この時点で、第１コネクタ１０の第１内部端子１１と第２コネクタ２０の第２内部端子２１とが互いに接触することが好ましい。そこで、第１外部端子１３ａの突出量ｄ１は、ガイド部２５ａの傾斜面２６ａの下端部２７と第２内部端子２１との高低差ｄ３より大きいことが好ましい。
（３）その後、第１コネクタ１０の第１内部端子１１と第２コネクタ２０の第２内部端子２１とが互いに係合して、コネクタセット３０を構成する。
以上によってコネクタセット３０が構成される。
【００４４】
（実施の形態２）
図７Ａは、実施の形態２に係るコネクタセットを構成する第１コネクタの構成を示す概略斜視図である。図７Ｂは、図７Ａの両端の第１外部端子のうちの一方の第１外部端子を示す部分拡大図である。各図には、便宜上、互いに直交するｘ軸、ｙ軸、ｚ軸を示している。
実施の形態２に係るコネクタセットを構成する第１コネクタ１０ａを実施の形態１に係るコネクタセットを構成する第１コネクタと対比すると、被ガイド部である第１外部端子１３ａ、１３ｂは、第１コネクタ１０ａと第２コネクタ２０との嵌合面に垂直な３面と、前記３面の間を連続して接続する凸面１４とで構成されている点で相違する。つまり、被ガイド部である第１外部端子１３ａ、１３ｂは、第１コネクタ１０の第１絶縁性部材（樹脂ケース）１２の端部（角部）を露出しないよう、第１コネクタ１０の外側側面の３面から上面、外側側面から隣接する外側側面にかけて連続して形成されている。これにより、第２コネクタ２０との嵌合時におけるガイド性が向上し、第２コネクタ２０の変形、損傷を抑制することができる。
なお、上記凸面１４は、例えば、絞り加工等で形成できる。
【００４５】
（実施の形態３）
図８Ａは、実施の形態３に係るコネクタセットを構成する第２コネクタ２０ａの構成を示す概略斜視図である。図８Ｂは、図８Ａの両端の第２外部端子２３ａ、２３ｂの内の一方の第２外部端子２３ａを示す部分拡大図である。各図には、便宜上、互いに直交するｘ軸、ｙ軸、ｚ軸を示している。
実施の形態３に係るコネクタセットを構成する第２コネクタ２０ａを実施の形態１に係るコネクタセットを構成する第２コネクタと対比すると、ガイド部２５ａが３辺にわたって第２外部端子２３ａによって連続して構成されている点で相違する。
このように第２コネクタ２０のガイド部２５ａの第１コネクタ１０との接触面すべてに対して金属からなる第２外部端子２３ａのＲ面（凹面）が接触することで、ガイド可能な位置ずれの許容範囲が広いと共に、第２コネクタ２０の樹脂変形を抑制することができる。つまり、ガイド部２５ａを連続面とすることによって、ガイド時に端子の引っかかりを感じることなく、ガイドの感触が向上する。そこで、誤嵌合時の端子変形を抑制することが出来る。
【００４６】
また、ガイド部２５ａの傾斜面２６ａは、金属の圧延面で形成されている。つまり、傾斜面２６ａは、金属板の破断面、又は、破断面のテーパー部ではなく、金属の圧延面で構成されているので、滑らかな面とすることができる。
さらに、ガイド部２５ａの角部の傾斜面２６ａの下端部に切り欠き２８ａを設けている。これによって、第２外部端子２３ａのプレス加工性を向上させることができる。
【００４７】
なお、本開示においては、前述した様々な実施の形態及び／又は実施例のうちの任意の実施の形態及び／又は実施例を適宜組み合わせることを含むものであり、それぞれの実施の形態及び／又は実施例が有する効果を奏することができる。
【産業上の利用可能性】
【００４８】
本発明に係るコネクタセットによれば、第１コネクタと第２コネクタとの嵌合時に、第１コネクタを正確な位置に誘い込みやすくなり、第１内部端子及び第２内部端子の変形の発生、及び、嵌合不能となることを抑制できる。そこで、コネクタセットとして有用である。
【符号の説明】
【００４９】
１０  第１コネクタ
１１  第１内部端子
１２  第１絶縁性部材
１３ａ、１３ｂ  第１外部端子（突出部）
１４  Ｒ面（凸面）
２０  第２コネクタ
２１  第２内部端子
２２  第２絶縁性部材
２３ａ、２３ｂ  第２外部端子
２４ａ、２４ｂ  凹部
２５ａ、２５ｂ  ガイド部
２６ａ、２６ｂ  傾斜面
２７  下端部
２８ａ  切れ込み部
３０  コネクタセット
ｄ１  第１コネクタの第１外部端子の第１内部端子に対する突出量
ｄ２  第２コネクタの第２外部端子の第２内部端子に対する突出量
ｄ３  第２コネクタのガイド部の傾斜面下端部と第２内部端子との高低差
【図１】
2019021611.tif 000003
【図２】
2019021611.tif 000004
【図３】
2019021611.tif 000005
【図４Ａ】
2019021611.tif 000006
【図４Ｂ】
2019021611.tif 000007
【図４Ｃ】
2019021611.tif 000008
【図５Ａ】
2019021611.tif 000009
【図５Ｂ】
2019021611.tif 000010
【図５Ｃ】
2019021611.tif 000011
【図６Ａ】
2019021611.tif 000012
【図６Ｂ】
2019021611.tif 000013
【図６Ｃ】
2019021611.tif 000014
【図７Ａ】
2019021611.tif 000015
【図７Ｂ】
2019021611.tif 000016
【図８Ａ】
2019021611.tif 000017
【図８Ｂ】
2019021611.tif 000018
【国際調査報告】
2019021611.tif 000019
2019021611.tif 000020
2019021611.tif 000021
2019021611.tif 000022